(57)【特許請求の範囲】
【請求項１】
インターレース走査構造の入力映像信号を倍速走査のノンインターレース走査構造に変換し表示するテレビジョン受像機において、
入力映像信号と前記入力映像信号を１フレーム遅延させた映像信号を画素単位で減算し減算値の絶対値をフィールド内で積分し積分値を出力する積分手段と、
入力映像信号のノイズ量を検出するノイズ検出手段と、
前記ノイズ検出手段で検出したノイズ量及び接続されている外部機器を示す接続機器情報が入力され、前記ノイズ量が所定値より大きければ閾値を大きくし、前記ノイズ検出手段で検出したノイズ量が所定値より小さければ閾値を小さくし、さらに前記接続機器情報に基づいて閾値を決定する比較レベル発生手段と、
前記比較レベル発生手段で決定した閾値と前記積分手段の出力を比較して、前記積分手段から出力される積分値が前記閾値より小さいことを検知すると入力映像信号がテレシネ映像信号と判断する比較手段と備え、
入力映像信号が前記接続機器情報が示す外部機器から入力される映像信号であり、且つ、前記接続機器情報が示す外部機器がデジタル記憶担体に記憶された映像信号を再生する外部機器である場合、前記比較レベル発生手段は前記閾値を小さくすることを特徴とするテレビジョン受像機。
【請求項２】
前記比較レベル発生手段は前記閾値が急激に変化することを抑える時間フィルタを備えることを特徴とする請求項１に記載のテレビジョン受像機。
【発明の詳細な説明】
【０００１】
【発明の属する技術分野】
本発明は，映像信号に対して走査線変換を行うテレビジョン受像機（Ｈ０４Ｎ）に関するものである。
【０００２】
【従来の技術】
近年、ハイビジョンテレビも普及しそれと共に現行放送のＮＴＳＣ信号に対する高画質化の要求も高く、その高画質化の手段の一つとしてインターレース信号のＮＴＳＣ信号をノンインターレース信号に変換し倍速で表示する走査線変換技術は良く知られている。また２−３プルダウン方式で形成されたテレシネ映像信号を検出し高画質に表示することも考えられている。（たとえば特開平４−４０７８８号公報「テレビジョン受信機」参照）
従来の２−３プルダウン方式で形成されたテレシネ映像信号を検出し高画質に表示するテレビビジョン受像機を図面を参照しながら説明する。図６は従来のテレビジョン受像機のブロック図、図７は従来のフィルムモード検出回路のブロック図である。また、図３、図４はその動作を説明する波形図、図５はインターレース信号をノンインターレース信号に変換する表示処理回路のブロック図である。
【０００３】
図６において１００１は入力されるインターレース信号をノンインターレース信号に変換する表示処理回路、６００１はフィルムモード検出回路である。図７において２００１はフレームメモリ、２００２は減算回路、２００３は積分回路、２００５は比較回路、７００１は位相検出回路及び時間フィルタである。図５において５００１、５００２はフィールドメモリ、５００３は動き検出回路、５００４は動画処理回路、５００５はＭＩＸ回路、５００６は切換回路、５００７は倍速処理回路である。
【０００４】
以上のように構成されたテレビジョン受像機について、その動作について説明する。図６において入力された映像信号（ａ１）は表示処理回路１００１とフィルムモード検出回路６００１に入力される。フィルムモード検出回路６００１では入力された映像信号が２−３プルダウン方式で形成されたテレシネ映像信号であるかを検出する。そして表示処理回路１００１においてフィルムモード検出回路６００１の出力信号である静止固定信号（ｅ１）、補正信号（ｆ１）を用い入力映像信号（ａ１）であるインターレース信号から倍速のノンインターレース信号（ｇ１）に変換し出力する。
【０００５】
図３、図４、図７を参照しながらフィルムモード検出回路６００１の動作について詳細に説明する。図７において入力された映像信号（ａ１）とフレームメモリ２００１で１フレーム遅延した信号（ｆ２）の減算を減算回路２００２において画素単位で行い出力する（ｇ２）。そして積分回路２００３で絶対値をとりフレーム差情報をフィード内で積分し出力する（ｈ２）。
【０００６】
入力された映像信号（ａ１）が２−３プルダウン方式で形成されたテレシネ映像信号であるときには、図４のように５フィールドに一度同じ信号が伝送されるため積分回路の出力信号（ｈ２）は５フィールドに一度「０」となることが判る。また「０」以外のフィールドの値は検出としてフレーム差分を用いているため図３のように動きの大きい映像のときは大きな値となり、動きの小さい映像のときは小さな値となる。また完全に静止している映像では「０」となる。
【０００７】
次に比較回路２００５では積分回路２００３の出力信号（ｈ２）を２値化するために設定レベル（ｅ２）と比較され出力される（ｊ２）。この設定レベル（ｅ２）は先述したように動きの小さい映像でも検出できるようにできるだけ小さな値を設定することになる。次に位相検出回路及び時間フィルタ７００１において、比較回路２００５の出力信号（ｊ２）から先述した５フィールドに一度「０」になっているかを検出しさらに時間フィルタを行い安定動作とし、検出できたときは静止固定信号（ｅ１）としてハイレベルを出力する。
【０００８】
また、補正信号（ｆ１）として５フィールド周期のパターンを図４のように出力する。テレシネ映像信号でない通常の信号では５フィールド周期のパターンが検出されないため静止固定信号（ｅ１）はローレベルを出力し、補正信号（ｆ１）はハイレベルが出力されることとなる。
【０００９】
さらに図５、図４を用いて表示処理回路１００１の動作を説明する。まず通常信号のインターレース信号からノンインターレース信号への変換動作について説明する。入力された信号（ａ１）はフィールドメモリ５００１、５００２で各々１フィールド遅延され１フレーム遅延の信号（ｃ５）となる。次に動き検出回路５００３において入力信号（ａ１）とフレーム遅延信号（ｃ５）から入力信号（ａ１）の動き量を検出し出力する（ｄ５）。
【００１０】
また同時に動画処理回路５００４において垂直ラインの補間処理などを行い動画補間ライン信号（ｅ５）を得る。そしてＭＩＸ回路５００５において１フィールド遅延信号（ｂ５）（静止処理信号）と動画補間ライン信号（ｅ５）を動き量（ｄ５）を用いて加重平均を行い出力する（ｆ５）。このとき静止固定信号（ｅ１）はローレベルになっている。次に切換回路５００６において補正信号（ｆ１）がハイレベルのため動画処理回路５００４の内部で１ライン遅延した信号（ｇ５）が出力される（ｈ５）。
【００１１】
最後に倍速処理回路５００７においてＭＩＸ回路５００５の出力信号（ｆ５）と切換回路５００６の出力信号（ｈ５）を倍速に変換し、ライン単位で切換を行い倍速のノンインターレース信号として出力する（ｉ５）。
【００１２】
次に２−３プルダウン方式で形成されたテレシネ映像信号のときの動作を説明する。フィルムモード検出回路６００１でテレシネ映像信号と検出したときは静止固定信号（ｅ１）がハイレベルとして出力されるためＭＩＸ回路５００５では静止固定信号（ｅ１）がハイレベルのときは静止固定処理となり、１フィールド遅延信号（ｂ５）がそのまま出力される（ｆ５）。
【００１３】
また、切換回路５００６において補正信号（ｆ１）がハイレベルのときは出力信号（ｈ５）として動画処理回路５００４の内部で１ライン遅延した（ｇ５）を出力し、ローレベルの時は１フレーム遅延信号（ｃ５、ｆ２）が出力される。説明を容易にするためメモリの構成を表示処理回路１００１とフィルムモード検出回路６００１で共用しない構成としてるため、フレーム遅延信号は図７では（ｆ２）、図５では（ｃ５）となっている。上記処理により倍速処理後の出力信号（ｉ５）は図４のように出力されることとなる。
【００１４】
【発明が解決しようとする課題】
しかしながら上記の様な構成ではノイズの多い信号では図８のようにフレーム差分が「０」にならず比較レベル（ｅ２）より大きな値となりその結果としてテレシネ映像信号であるということが検出できないという課題があった。またテレシネ映像信号でない通常信号であってもテレシネ映像信号と誤検出することがあるという課題もあった。
【００１５】
【課題を解決するための手段】
上記課題を解決するために、本発明のテレビジョン受像機は、ノイズ検出回路と比較レベル発生回路を備え、ノイズの多い信号でもテレシネ映像信号を検出でき、通常信号で誤動作ないことを特徴とするテレビジョン受像機を提供するものである。
【００２３】
【発明の実施の形態】
第１の発明に係るテレビジョン受像機は、インターレース走査構造の入力映像信号を倍速走査のノンインターレース走査構造に変換し表示するテレビジョン受像機において、入力映像信号と前記入力映像信号を１フレーム遅延させた映像信号を画素単位で減算し減算値の絶対値をフィールド内で積分し積分値を出力する積分手段と、入力映像信号のノイズ量を検出するノイズ検出手段と、前記ノイズ検出手段で検出したノイズ量及び接続されている外部機器を示す接続機器情報が入力され、前記ノイズ量が所定値より大きければ閾値を大きくし、前記ノイズ検出手段で検出したノイズ量が所定値より小さければ閾値を小さくし、さらに前記接続機器情報に基づいて閾値を決定する比較レベル発生手段と、前記比較レベル発生手段で決定した閾値と前記積分手段の出力を比較して、前記積分手段から出力される積分値が前記閾値より小さいことを検知すると入力映像信号がテレシネ映像信号と判断する比較手段と備え、入力映像信号が前記接続機器情報が示す外部機器から入力される映像信号であり、且つ、前記接続機器情報が示す外部機器がデジタル記憶担体に記憶された映像信号を再生する外部機器である場合、前記比較レベル発生手段は前記閾値を小さくすることで通常信号での誤検出を防ぐことができる。
【００２４】
第３の発明に係るテレビジョン受像機は、前記比較レベル発生手段は前記閾値が急激に変化することを抑える時間フィルタを備えることでノイズによる影響をなくしノイズの多い信号でもテレシネ映像信号と検出できる。
【００２５】
（実施の形態１）
以下、本発明の請求項１〜９に記載された発明の実施の形態について図１〜図５、図８〜図１０を用いて説明する。
【００２６】
図１において、１００１はインターレース信号を倍速のノンインターレース信号に変換する表示処理回路、１００２はフィルムモードを検出するフィルムモード検出回路、１００３はノイズ検出回路、１００４は番組情報を検出する番組情報検出回路である。図２において２００１はフレームメモリ、２００２は減算回路、２００３は積分回路、２００４は設定レベルを接続機器情報とノイズレベルでコントロールする比較レベル発生回路、２００５は比較回路、２００６は位相検出回路及び時間フィルタである。
【００２７】
図５において５００１、５００２はフィールドメモリ、５００３は動き検出回路、５００４は動画処理回路、５００５はＭＩＸ回路、５００６は切換回路、５００７は倍速処理回路である。図９において９００１はレベルコントロール回路、９００２は時間フィルタである。
【００２８】
以上のように構成されたテレビジョン受像機について、以下その動作を説明する。図１において入力された映像信号（ａ１）は表示処理回路１００１とフィルムモード検出回路１００２とノイズ検出回路１００３と番組情報検出回路１００４に同時に入力される。ノイズ検出回路１００３では入力信号（ａ１）のノイズ量が検出され出力される（ｃ１）。
【００２９】
また番組情報検出回路１００４では例えば映画、アニメ、ドラマ、スポーツ等といったジャンル情報等が検出され出力される（ｂ１）。フィルムモード検出回路１００２では、入力映像信号（ａ１）が２−３プルダウン方式で形成されたテレシネ映像信号であるかを検出し静止固定信号（ｅ１）、補正信号（ｆ１）を出力する。検出する際ノイズ検出回路１００３の出力信号（ｃ１）、番組情報検出回路１００４の出力信号（ｂ１）、外部からの接続機器情報（ｄ１）を用いる。
【００３０】
そして表示処理回路１００１においてフィルムモード検出回路６００１の出力信号である静止固定信号（ｅ１）、補正信号（ｆ１）を用い入力映像信号（ａ１）であるインターレース信号から倍速のノンインターレース信号（ｇ１）に変換し出力することとなる。
【００３１】
さらにフィルムモード検出回路１００２について詳細に説明する。図２において入力された映像信号（ａ１）とフレームメモリ２００１で１フレーム遅延した信号（ｆ２）の減算を減算回路２００２において画素単位で行い出力する（ｇ２）。そして積分回路２００３で絶対値をとりフレーム差情報をフィールド内で積分し出力する（ｈ２）。
【００３２】
入力された映像信号（ａ１）が２−３プルダウン方式で形成されたテレシネ映像信号であるときには図４のように積分回路の出力信号（ｈ２）は５フィールドに一度「０」となることが判る。これはテレシネ映像信号が図４のように５フィールドに一度同じ信号が伝送されていることを示している。また「０」以外のフィールドの値は検出としてフレーム差分を用いているため図３のように動きの大きい映像のときは大きな値となり、動きの小さい映像のときは小さな値となる。
【００３３】
また完全に静止している映像では「０」となる。ここまでの動作は従来例と同様である。次に比較回路２００５で積分回路２００５の出力信号（ｉ２）を２値化する。この２値化するための比較レベルを比較レベル発生回路２００４で発生する。比較レベル発生回路２００４においてノイズの多い信号では図８のように２−３プルダウン方式で形成されたテレシネ映像信号の同じ信号が伝送されてているにも関わらずノイズにより差が発生し値が大きくなり比較レベル（ｅ２）より大きくなってしまうためテレシネ映像信号であることが検出できない。
【００３４】
この比較レベルを単に大きくするとノイズの多い信号でもテレシネ映像であると検出できるようになるが欠点としてノイズのない信号のとき動きの小さいときに検出できなくなり、その結果としてテレシネ映像信号の検出に時間がかかることになる。したがって、本発明では入力映像信号のノイズ量により設定レベル（ｅ２）をコントロールを行い、ノイズの多いときは比較設定レベル（ｉ２）を大きくし出力する。
【００３５】
また、テレビ受像機に接続される機器が何であるかによっても設定レベル（ｅ２）をコントロールする。これはＤＶＤなどのデジタル機器では非常にノイズが少ないため設定レベルを下げることができるためである。また番組情報検出回路の出力の番組情報（ｂ１）を用いることによってもそのコントロールを行うことができる。
【００３６】
さらに比較レベル発生回路について説明する。レベルコントロール回路９００１では上述のような設定レベルのコントロールが行われて図１０の（ａ９）のように出力される。しかしながらノイズ量などがフィード間で大きく変化するとき、その影響で図１０の波線のように検出が正しく行えなくなる。したがって、時間フィルタ９００２においてその急激なレベル変化を抑え比較レベル（ｉ２）のように出力する。
【００３７】
そして正しい比較回路の出力信号（ｊ２）が得られることとなる。次に比較回路２００５で２値化された信号（ｊ２）から位相検出回路及び時間フィルタ２００６において先述の５フィードの繰り返しを検出し、安定動作を行うための時間フィルタを行う。このときに番組情報（ｂ１）のジャンル情報などを用い、テレシネ映像信号の確率が高い映画やアニメのときのみテレシネ映像信号検出を行い、それ以外のときはその検出を禁止することで通常信号での誤検出を防ぐことができる。
【００３８】
また禁止することまでしなくても、時間フィルタなどの時定数などを番組情報でコントロールすることで通常信号での誤検出を防ぐことが可能となる。
【００３９】
そして位相検出回路及び時間フィルタ２００６の出力信号である静止固定信号（ｅ１）と補正信号（ｆ１）を用いて表示処理回路１００１においてインターレース信号から倍速のノンインターレース信号に変換するが、従来例の動作と全く同じであるため説明を省略する。
【００４０】
【発明の効果】
以上の実施の形態からも明らかなように、本発明によればノイズ検出回路、番組情報検出回路、フィルムモード検出回路、表示処理回路の構成でノイズの多い信号でもテレシネ映像信号が検出でき、また通常信号では誤検出することがなく、実用上きわめて有利なものである。
【図面の簡単な説明】
【図１】本発明の第１の実施の形態のテレビジョン受像機のブロック図
【図２】本発明の第１の実施の形態のフィルムモード検出回路のブロック図
【図３】本発明の第１の実施の形態を説明するための波形図
【図４】本発明の第１の実施の形態を説明するためのタイミング図
【図５】本発明の第１の実施の形態の表示処理回路のブロック図
【図６】従来のテレビジョン受像機のブロック図
【図７】従来のフィルムモード検出回路のブロック図
【図８】従来のテレビジョン受像機の動作を説明するための波形図
【図９】本発明の第１の実施の形態の比較レベル発生回路のブロック図
【図１０】本発明の第１の実施の形態を説明するための波形図
【符号の説明】
１００１  表示処理回路
１００２  フィルムモード検出回路
１００３  ノイズ検出回路
１００４  番組情報検出回路
２００１  フレームメモリ
２００２  減算回路
２００３  積分回路
２００４  比較レベル発生回路
２００５  比較回路
２００６  位相検出回路、時間フィルタ
５００１、５００２  フィールドメモリ
５００３  動き検出回路
５００４  動画処理回路
５００５  ＭＩＸ回路
５００６  切換回路
５００７  倍速処理回路
６００１  フィルムモード検出回路
７００１  位相検出、時間フィルタ
９００１  レベルコントロール回路
９００２  時間フィルタ
【図１】
0003849299.tif 000002
【図２】
0003849299.tif 000003
【図３】
0003849299.tif 000004
【図４】
0003849299.tif 000005
【図５】
0003849299.tif 000006
【図６】
0003849299.tif 000007
【図７】
0003849299.tif 000008
【図８】
0003849299.tif 000009
【図９】
0003849299.tif 000010
【図１０】
0003849299.tif 000011